(57)【要約】【課題】可搬型の電力供給装置に蓄電された電力を対価に代えること。【解決手段】充電スポットは、それぞれ負荷に対して電力を供給する可搬型の第一電力供給装置および第二電力供給装置と接続可能である。充電スポットは、前記第一電力供給装置の識別情報を取得する取得手段と、前記第一電力供給装置と接続し、前記第一電力供給装置の蓄電池に蓄電されている電力を受給する第一接続手段と、前記第一接続手段を通じて受給した電力を蓄電する蓄電手段と、前記第一電力供給装置を通じて受給した電力の量に応じた対価を前記第一電力供給装置の識別情報に対して付与する付与手段とを有する。【選択図】図１
2019144760.tif 000002
【特許請求の範囲】
【請求項１】
それぞれ負荷に対して電力を供給する可搬型の第一電力供給装置および第二電力供給装置と接続可能な充電スポットであって、
前記第一電力供給装置の識別情報を取得する取得手段と、
前記第一電力供給装置と接続し、前記第一電力供給装置の蓄電池に蓄電されている電力を受給する第一接続手段と、
前記第一接続手段を通じて受給した電力を蓄電する蓄電手段と、
前記第一電力供給装置を通じて受給した電力の量に応じた対価を前記第一電力供給装置の識別情報に対して付与する付与手段と
を有することを特徴とする充電スポット。
【請求項２】
前記第一電力供給装置を通じて受給した電力の量である電力受給量を測定する第一測定手段と、
サーバと通信する通信手段と、
をさらに有し、
前記付与手段は、前記第一測定手段により測定された前記電力受給量と前記第一電力供給装置の識別情報とを前記通信手段により前記サーバに送信することで、前記サーバに、前記第一電力供給装置の識別情報に関連付けられている口座に前記電力受給量に応じた対価を加算させることを特徴とする請求項１に記載の充電スポット。
【請求項３】
前記付与手段は、前記充電スポットの地理的な位置を示す位置情報または前記充電スポットに関連付けられている課金係数を、前記電力受給量と前記第一電力供給装置の識別情報とともに前記サーバに送信することを特徴とする請求項２に記載の充電スポット。
【請求項４】
前記通信手段により前記サーバから受信された前記対価の情報を出力する出力手段をさらに有することを特徴とする請求項２または３に記載の充電スポット。
【請求項５】
前記第二電力供給装置と接続する第二接続手段と、
前記蓄電手段に蓄電されている電力を前記第二電力供給装置の蓄電池に供給する供給手段と、
をさらに有することを特徴とする請求項２ないし４のいずれか一項に記載の充電スポット。
【請求項６】
前記第二電力供給装置に供給した電力の量である電力供給量を測定する第二測定手段と、
前記取得手段により取得された前記第二電力供給装置の識別情報と前記電力供給量とを、前記通信手段により前記サーバに送信することで、前記電力供給量に応じた対価を課金する課金手段と
をさらに有することを特徴とする請求項５に記載の充電スポット。
【請求項７】
前記課金手段は、前記充電スポットの地理的な位置を示す位置情報または前記充電スポットに関連付けられている課金係数を、前記電力供給量と前記第二電力供給装置の識別情報とともに前記サーバに送信することを特徴とする請求項６に記載の充電スポット。
【請求項８】
前記第一電力供給装置の識別情報は前記第一電力供給装置の製造シリアル番号または前記第一電力供給装置のユーザの識別情報であることを特徴とする請求項１ないし７のいずれか一項に記載の充電スポット。
【請求項９】
前記取得手段は、前記第一電力供給装置と通信することで前記第一電力供給装置の識別情報を取得することを特徴とする請求項１ないし８のいずれか一項に記載の充電スポット。
【請求項１０】
それぞれ負荷に対して電力を供給する可搬型の第一電力供給装置および第二電力供給装置と接続可能な充電スポットを管理するサーバであって、
前記充電スポットと通信する通信手段と、
前記第一電力供給装置から前記充電スポットが受給した電力の量である受給電力量と前記第一電力供給装置の識別情報とを前記通信手段により受信し、前記第一電力供給装置の識別情報に関連付けられている口座に対して、前記受給電力量に応じた対価を付与する口座管理手段と
を有することを特徴とするサーバ。
【請求項１１】
前記口座管理手段は、前記充電スポットに関連付けられている課金係数を前記受給電力量に適用することで、前記対価を決定することを特徴とする請求項１０に記載のサーバ。
【発明の詳細な説明】
【技術分野】
【０００１】
本発明は、充電スポットおよびサーバに関する。
【背景技術】
【０００２】
商用交流電源網では大規模な発電所で発電された電力が送電網を介して各家庭や事業所に送電される。特許文献１によれば分散型電源の大量導入といった需要家側での発電手段の増加に伴う余剰電力対策が必要となる状況下において、余剰電力を流通させるための手段やインセンティブを管理する電力管理システムを提供することが提案されている。特許文献２によれば余剰電力を有効に活用して節電の経済的な効果を高めることが可能な電力管理装置、電力システム、需要家装置、電力管理方法および電力管理プログラムが提案されている。
【先行技術文献】
【特許文献】
【０００３】
【特許文献１】特開2013-21798号公報
【特許文献２】特開2017-211947号公報
【発明の概要】
【発明が解決しようとする課題】
【０００４】
特許文献１、２は商用交流電源網に関する発明であるが、商用交流電源網が普及していない地域もある。たとえば、米国のキャンプ場には商用交流電源網が到達していないこともある。そのため、エンジン駆動式の発電機や可搬型の蓄電池が今後さらに普及することが考えられる。可搬型の蓄電池はバッテリーとインバータなどを有していてもよい。キャンプ愛好家は、キャンプ場で家電製品を使用するために、エンジン駆動式の発電機を持参する。ここで、エンジン駆動式の発電機も蓄電池を有しており、発電した電力を蓄電池に充電し、蓄電池の電力を家電製品に供給する。たとえば、騒音の気になりにくい日中に発電機で蓄電池を充電し、夜間に蓄電池から家電製品に電力を供給してもよい。ここで、蓄電池に充電された電力が余ってしまうこともあるだろう。もし、ユーザがこの余った電力を売電できれば、ユーザにとって便利であろう。そこで、本発明は、可搬型の電力供給装置に蓄電された電力を対価に代えることを可能ならしめることを目的とする。
【課題を解決するための手段】
【０００５】
本発明によれば、
それぞれ負荷に対して電力を供給する可搬型の第一電力供給装置および第二電力供給装置と接続可能な充電スポットであって、
前記第一電力供給装置の識別情報を取得する取得手段と、
前記第一電力供給装置と接続し、前記第一電力供給装置の蓄電池に蓄電されている電力を受給する第一接続手段と、
前記第一接続手段を通じて受給した電力を蓄電する蓄電手段と、
前記第一電力供給装置を通じて受給した電力の量に応じた対価を前記第一電力供給装置の識別情報に対して付与する付与手段と
を有することを特徴とする充電スポットが提供される。
【発明の効果】
【０００６】
本発明によればは、可搬型の電力供給装置に蓄電された電力を対価に代えることが可能となる。
【図面の簡単な説明】
【０００７】
【図１】電力供給システムを示す図
【図２】電力供給装置を示す図
【図３】電力供給装置を示す図
【図４】充電スポットを示す図
【図５】充電スポットを示す図
【図６】サーバを示す図
【図７】充電スポットにより実行される方法を示すフローチャート
【図８】充電スポットにより実行される方法を示すフローチャート
【図９】サーバにより実行される方法を示すフローチャート
【図１０】ユーザデータベースを説明する図
【図１１】サーバにより実行される方法を示すフローチャート
【図１２】充電スポットデータベースを説明する図
【発明を実施するための形態】
【０００８】
＜電力供給システム＞
図１は電力供給装置１ａ、１ｂおよび充電スポット３を有する電力供給システム１００を示している。参照符号の末尾に付与されている小文字のアルファベットは同一または類似の装置を区別するために付与されている。このアルファベットは複数の装置に共通する事項が説明されるときは省略される。電力供給装置１ａ、１ｂの一例であるエンジン駆動式の可搬型発電機や可搬型蓄電池は、商用交流電源網が普及していない工事現場やレジャー施設で利用されている。商用交流電源網が普及している地域であっても、災害時には、可搬型発電機や可搬型蓄電池が活躍する。可搬型発電機は余剰な電力を蓄電する蓄電池を有している。たとえば、キャンプ愛好家がキャンプ場で可搬型発電機の蓄電池に充電したものの、蓄電池に充電された電力をキャンプ場で使い切れないこともある。蓄電池は多かれ少なかれ自然放電してしまう。余った電力が自然放電してしまうと、発電のために使った燃料が無駄となる。そこで、以下の実施例では、ユーザから余った電力を受給する充電スポット３が提供される。
【０００９】
充電スポット３は、キャンプ場、道の駅、高速道路のサービスエリア、ガソリンスタンド、コンビニエンスストア、駐車場、公園、ショッピングモール、および、災害時避難場所などに設置されうる。充電スポット３は電力ケーブルを介して電力供給装置１ａ、１ｂと接続し、これらから電力を受給したり、これらに電力を供給したりする。つまり、充電スポット３は、電力供給装置１ａ、１ｂから余った電力を買い取る。ユーザは余った電力を売却できる。あるいは、充電スポット３は、電力供給装置１ａ、１ｂに電力を販売する。つまり、ユーザは電力を充電スポット３から購入できる。
【００１０】
サーバ５は、充電スポット３の内部または充電スポット３の外部に設けられたコンピュータである。図１が示す事例では、サーバ５はネットワーク６や無線基地局７を介して充電スポット３と通信する。サーバ５は、電力供給装置１ａ、１ｂのユーザの識別情報や口座情報、購入電力量（販売電力量）、売却電力量（買い取り電力量）、充電スポット３ごとの課金係数（買い取り係数や販売係数）を管理している。このようにユーザが充電スポット３から購入した電力は購入電力と呼ばれる。ユーザが充電スポット３に売却入した電力は売却電力と呼ばれる。充電スポット３がユーザから買い取った電力は買い取り電力とよばれる。充電スポット３がユーザに販売した電力は販売電力とよばれる。
【００１１】
＜電力供給装置＞
図２は電力供給装置１を示すブロック図である。エンジン発電機１０は燃料タンから供給される燃料にしたがって動作するエンジンと、当該エンジンにより駆動されて発電する発電機とを有している。燃料は、たとえば、ガソリン、液化石油ガス、水素などである。電源回路１１は、エンジン発電機１０により発電された電力を所定の交流や直流に変換する回路である。ＡＣ／ＤＣ回路２１ａは、エンジン発電機１０により発電された交流を整流および平滑して直流を生成する整流平滑回路などを有している。インバータ回路２２は、ＡＣ／ＤＣ回路２１または蓄電池１２から出力される直流を所定周波数の安定した交流に変換する回路である。インバータ回路２２は蓄電池１２から出力される直流を所定周波数の安定した交流に変換してもよい。ＡＣアウトレット端子２６は負荷２を接続される端子である。蓄電池１２に蓄電されている電力を売却する場合（売却モード）、ＡＣアウトレット端子２６に充電スポット３が接続される。ＡＣインレット端子２７は充電スポット３または商用交流電源を接続される端子である。充電スポット３から電力の供給を受けて蓄電池１２を充電する場合（購入モード）、ＡＣインレット端子２７には充電スポット３が接続される。ＡＣ／ＤＣ回路２１ｂは、ＡＣインレット端子２７から供給された交流を整流および平滑して直流を生成する整流平滑回路などを有している。充電回路２４は、ＡＣインレット端子２７から入力された電力を使用して蓄電池１２を充電する。通常、充電回路２４は、ＡＣ／ＤＣ回路２１ａから出力される電力を使用して蓄電池１２を充電する。制御回路１５は、電源回路１１、通信回路１６および操作部１７などを制御する回路である。通信回路１６は、有線または無線を介してスマートフォンやＰＣ（パーソナルコンピュータ）、充電スポット３、サーバ５、他の電力供給装置１と通信する。操作部１７は表示装置と入力装置とを有している。
【００１２】
図３は電力供給装置１の制御回路１５の機能を示すブロック図である。制御回路１５は、ＣＰＵ（中央演算処理装置）３１と記憶装置３２とを有し、ＣＰＵ３１は記憶装置３２に記憶された制御プログラムにしたがって売却処理や購入処理などを実行する。なお、ＣＰＵ３１が制御プログラムによって実現する機能の一部またはすべてはＦＰＧＡ（フィールドプログラマブルゲートアレイ）やＤＳＰ（デジタルシグナルプロセッサ）などのハードウエア回路によって実装されてもよい。これらのハードウエア回路はプロセッサと総称されてもよい。
【００１３】
記憶装置３２は、電力供給装置１の製造シリアル番号または電力供給装置１のユーザのユーザＩＤなどの識別情報３７を記憶していてもよい。売却処理部３３は、操作部１７から売却指示（売電指示）が入力されると、供給制御部３４に電力の出力を指示する。供給制御部３４は蓄電池１２から供給された電力をインバータ回路２２で交流に変換し、ＡＣアウトレット端子２６を通じて充電スポット３に出力する。購入処理部３５は、操作部１７から購入指示（買電指示）が入力されると、受給制御部３６に電力の受給を指示する。受給制御部３６は充電スポット３からＡＣインレット端子２７を通じて入力された交流をＡＣ／ＤＣ回路２１ｂで直流に変換し、充電回路２４に出力させる。充電回路２４は、充電スポット３から供給された電力を蓄電池１２へ充電する。充電回路２４は蓄電池１２の電圧を監視することで蓄電量を取得し、蓄電量が満量になると、充電を終了する。このときＵＩ制御部３８は、操作部１７の表示装置に充電完了を示すメッセージを表示してもよい。ＵＩ制御部３８は、電力供給装置１の動作モードが売却モードや購入モードであることを操作部１７に表示してもよい。ＵＩ制御部３８は、通信回路１６に接続されたスマートフォンなどの通信端末から、売却指示や購入指示などを受信してもよい。ＵＩ制御部３８は、通信回路１６を通じてサーバ５や充電スポット３から受信した売客結果（売却電力と対価など）や購入結果（購入電力料や課金額など）を操作部１７などに出力してもよい。
【００１４】
＜充電スポット＞
図４は充電スポット３のブロック図である。充電スポット３の部品のうち、電力供給装置１の部品と機能的に類似する部品には同一の参照符号が付与され、その説明は援用される。一例として、充電スポット３は電力供給装置１ａから電力を買い取り（買い取りモード）、充電スポット３は電力供給装置１ｂに電力を販売している（販売モード）。ＡＣアウトレット端子２６は電力供給装置１ｂと接続されており、充電スポット３の蓄電池１２から供給され、インバータ回路２２により生成された交流を電力供給装置１ｂへ供給する。計測回路２８ａは、電力供給装置１ｂに供給された電力の総量（販売電力量・購入電力量）を計測し、計測結果を制御回路１５に出力する。ＡＣインレット端子２７は電力供給装置１ａと接続されており、電力供給装置１ａから供給された電力をＡＣ／ＤＣ回路２１ｂに渡す。ＡＣ／ＤＣ回路２１ｂは電力供給装置１ａから供給された交流を直流に変換し、充電回路２４に渡す。充電回路２４は電力供給装置１ａから供給された電力を用いて蓄電池１２を充電する。計測回路２８ｂは、電力供給装置１ａから供給された電力の総量（買い取り電力量・売却電力量）を計測し、計測結果を制御回路１５に出力する。制御回路１５は通信回路１６を通じてサーバ５や電力供給装置１ａ、電力供給装置１ｂと通信する。
【００１５】
図５は充電スポット３の制御回路１５の機能を示すブロック図である。図５において図３と共通または類似の機能には同一の参照符号が付与されている。制御回路１５は、ＣＰＵ３１と記憶装置３２とを有し、ＣＰＵ３１は記憶装置３２に記憶された制御プログラムにしたがって販売処理や買い取り処理などを実行する。ＣＰＵ３１が制御プログラムによって実現する機能の一部またはすべてはＦＰＧＡやＤＳＰなどのハードウエア回路によって実装されてもよい。これらのハードウエア回路はプロセッサと総称されてもよい。
【００１６】
認識部４１は、電力供給装置１と通信するか、操作部１７から入力される情報に基づき、電力供給装置１の識別情報を取得する。電力供給装置１の識別情報は製造シリアル番号またはユーザの識別情報である。ＵＩ制御部４２は、電力供給装置１のユーザに対して売却処理のガイダンス、売却結果（例：売却電力量や対価の額、口座残高）を操作部１７の表示装置に出力する。ＵＩ制御部４２は、電力供給装置１のユーザに対して購入処理のガイダンス、購入結果（例：購入電力量や課金額、口座残高）を操作部１７の表示装置に出力する。ＵＩ制御部４２は、通信回路１６を通じて電力供給装置１やユーザの通信端末（例：スマートフォン）と通信し、これらのガイダンスや売却結果、購入結果などを出力してもよい。
【００１７】
買い取り制御部４３は、電力供給装置１から供給される電力の受給と、蓄電池１２への充電などを制御する。買い取り量測定部４４は、電力供給装置１から供給される電力の総量（買い取り電力量）を、計測回路２８ｂを使用して測定する。充電スポット３の買い取り電力量とユーザの売却電力量は一致する。
【００１８】
販売制御部４５は、蓄電池１２から電力供給装置１への電力の供給などを制御する。販売量測定部４６は、蓄電池１２から電力供給装置１へ供給された電力の総量（販売電力量）を、計測回路２８ａを使用して測定する。充電スポット３の販売電力量とユーザの購入電力量は一致する。
【００１９】
記憶装置３２は、充電スポット３の識別情報４７と課金係数４８などを記憶していてもよい。識別情報４７は、充電スポット３ごとに固有の識別情報である。識別情報４７は充電スポット３が設置されている地理的な位置を示す情報（例：住所（緯度経度）、高度など）を含んでいてもよい。充電スポット３は緯度経度を測位するＧＰＳ（グローバルポジショニングシステム）受信機や高度を測定する高度センサを有していてもよい。課金係数４８は、買い取り係数や販売係数を含んでもよい。たとえば、充電スポット３の位置が商用交流電源網から遠く離れていればいるほど、買い取り係数や販売係数が大きくなる。また、充電スポット３の高度が高くなるほど、買い取り係数や販売係数が大きくなる。課金係数４８はサーバ５に保持されていてもよい。
【００２０】
＜サーバ＞
図６はサーバ５のブロック図である。サーバ５の部品のうち、電力供給装置１の部品または充電スポット３の部品と類似する部品には同一の参照符号が付与されている。
【００２１】
ＣＰＵ３１は通信回路１６を通じて電力供給装置１や充電スポット３と通信する。ＣＰＵ３１は記憶装置３２に記憶されている制御プログラムを実行することで口座管理部５１として機能する。口座管理部５１は、ユーザごとまたは電力供給装置１ごとの電力の受給／供給を管理したり、ユーザごとまたは電力供給装置１ごとの対価の総額を管理したり、充電スポット３ごとの位置情報や課金係数などを管理したりする。認証部５２は、ユーザや電力供給装置１の認証処理を実行する。たとえば、認証部５２は、充電スポット３から受信したユーザや電力供給装置１の識別情報がユーザＤＢ５４に登録されているかどうかを判定する。ＤＢはデータベースの略称である。対価決定部５３は、充電スポット３から受信した買い取り電力量または販売電力量に課金係数を乗算して、対価（買い取り額や販売額）を決定する。対価決定部５３が充電スポット３から受信した課金係数、または、充電スポットＤＢ５５から検索抽出した充電スポット３の位置情報（識別情報）に関連付けられている課金係数を用いて、対価を決定してもよい。入出金部５６は、ユーザの識別情報または電力供給装置１の識別情報に関連付けられている口座に対価を加算したり、口座から対価を減算したりする。入出金部５６は対価の入金（加算）または出金（減算）が完了すると、対価の情報を充電スポット３に送信する。口座管理部５１の一部またはすべてはＦＰＧＡやＤＳＰなどのハードウエア回路により実装されてもよい。
【００２２】
＜フローチャート＞
●充電スポットの買い取り処理（受給処理）
図７は電力供給装置１ａから電力を買い取りおよび受給するために充電スポット３が実行する方法を示すフローチャートである。
・Ｓ１で充電スポット３のＣＰＵ３１（認識部４１）はユーザの識別情報を取得する。たとえば、認識部４１は通信回路１６を通じて電力供給装置１ａと通信し、電力供給装置１ａからユーザの識別情報を受信する。あるいは、認識部４１は、充電スポット３の操作部１７を通じてユーザにより入力されたユーザの識別情報を取得してもよい。ここで、ユーザの識別情報は電力供給装置１ａの製造シリアル番号であってもよい。
・Ｓ２で充電スポット３のＣＰＵ３１（買い取り制御部４３）は、電力供給装置１ａから供給された電力を充電スポット３の蓄電池１２に充電するよう電源回路１１を制御する。なお、買い取り量測定部４４は計測回路２８ｂを使用して、電力供給装置１ａから供給された電力の合計値（買い取り電力量）を測定する。買い取り電力量は受給量と呼ばれてもよい。
・Ｓ３で充電スポット３のＣＰＵ３１（買い取り量測定部４４）は、買い取り電力量をサーバ５に登録する。買い取り量測定部４４は買い取り電力量、ユーザの識別情報および充電スポット３の識別情報４７（または課金係数４８）をサーバ５に送信する。
・Ｓ４で充電スポット３のＣＰＵ３１（ＵＩ制御部４２）は、サーバ５から対価情報を受信し、対価情報を操作部１７の表示装置に出力する。
【００２３】
●充電スポットの販売処理（供給処理）
図８は電力供給装置１ｂへ電力を供給するために充電スポット３が実行する電力供給方法を示すフローチャートである。
・Ｓ１１で充電スポット３のＣＰＵ３１（認識部４１）はユーザの識別情報を取得する。たとえば、認識部４１は通信回路１６を通じて電力供給装置１ａと通信し、電力供給装置１ａからユーザの識別情報を受信する。あるいは、認識部４１は、充電スポット３の操作部１７を通じてユーザにより入力されたユーザの識別情報を取得してもよい。ここで、ユーザの識別情報は電力供給装置１ａの製造シリアル番号であってもよい。
・Ｓ１２で充電スポット３のＣＰＵ３１（販売制御部４５）は、充電スポット３の蓄電池１２に蓄電されている電力を電力供給装置１ｂへ供給するよう電源回路１１を制御する。なお、販売量測定部４６は計測回路２８ａを使用して、電力供給装置１ｂへ供給した電力の合計値（販売電力量）を測定する。販売電力量は供給量と呼ばれてもよい。
・Ｓ１３で充電スポット３のＣＰＵ３１（販売量測定部４６）は、販売電力量をサーバ５に登録する。販売量測定部４６は販売電力量、ユーザの識別情報および充電スポット３の識別情報４７（または課金係数４８）をサーバ５に送信する。
・Ｓ１４で充電スポット３のＣＰＵ３１（ＵＩ制御部４２）は、サーバ５から課金情報を受信し、課金情報を操作部１７の表示装置に出力する。
【００２４】
●サーバ５の電力買い取り処理
図９は充電スポット３が電力供給装置１ａから電力を買い取る際にサーバ５が実行する口座管理方法を示すフローチャートである。
・Ｓ２１でサーバ５のＣＰＵ３１（認証部５２）は通信回路１６を通じて電力供給装置１ａの充電スポット３からユーザの識別情報、充電スポット３の識別情報（または課金係数）および買い取り電力量を受信する。
・Ｓ２２でサーバ５のＣＰＵ３１（対価決定部５３）は、買い取り電力量に対する対価を決定する。たとえば、対価決定部５３は充電スポット３の識別情報に基づき、充電スポットＤＢ５５に記憶されている課金係数（買い取り単価）を読み出し、買い取り電力量に課金係数を乗算して対価を決定する。なお、充電スポット３から課金係数を受信している場合、この課金係数が使用される。
・Ｓ２３でサーバ５のＣＰＵ３１（入出金部５６）は、ユーザＤＢ５４を更新する。
【００２５】
図１０はユーザＤＢ５４の一例を示している。ユーザＩＤはユーザの識別情報または電力供給装置１の識別情報である。最終更新日はユーザごとのレコードが更新された日を示している。電力量推移は、最終更新日に登録された買い取り電力量（売却電力量）または販売電力量（購入電力量）を示している。ここで電力量に付与されたプラス記号は、電力供給装置１から充電スポット３に電力が供給されたことを意味する。電力量に付与されたマイナス記号は、充電スポット３から電力供給装置１に電力が供給されたことを意味する。総電力量はユーザごとの電力買い取り電力量と販売電力量と合計値である。口座残高は、ユーザが受け取った対価の合計値からユーザが支払った対価の合計値を減算した値である。なお、口座残高は、現金、仮想通貨、ポイントのいずれでもよい。つまり、口座は、銀行口座、クレジット口座、仮想通貨口座、ポイント口座など、対価を引き落としたり、対価を送金したりすることが可能な口座であれば十分である。ポイントとは、商品やサービス、割引券、商品券などと交換可能な付加価値である。
【００２６】
入出金部５６はユーザの識別情報に基づき、ユーザＤＢ５４に保持されているユーザのレコードを特定し、受給量（ユーザから見た供給量）を電力推移に書き込み、総電力量に受給量を加算し、対価を口座残高に反映させる。
・Ｓ２４でサーバ５のＣＰＵ３１（入出金部５６）は、対価情報を充電スポット３に送信する。対価情報には、ユーザＤＢ５４に登録されているユーザの最新レコードが含まれていてもよい。
【００２７】
●サーバ５の電力販売処理
図１１は電力供給装置１ｂに対して充電スポット３が電力を供給する際にサーバ５が実行する口座管理方法を示すフローチャートである。
・Ｓ３１でサーバ５のＣＰＵ３１（認証部５２）は通信回路１６を通じて充電スポット３から電力供給装置１ｂのユーザの識別情報、充電スポット３の識別情報（または課金係数）および販売電力量（電力供給装置１ｂから見た購入量）を受信する。
・Ｓ３２でサーバ５のＣＰＵ３１（対価決定部５３）は、販売電力量に対する対価（課金額）を決定する。たとえば、対価決定部５３は充電スポット３の識別情報に基づき、充電スポットＤＢ５５に記憶されている課金係数（販売単価）を読み出し、販売電力量に課金係数を乗算して対価を決定する。なお、充電スポット３から課金係数を受信している場合、この課金係数が使用される。
・Ｓ３３でサーバ５のＣＰＵ３１（入出金部５６）は、ユーザＤＢ５４を更新する。入出金部５６はユーザの識別情報に基づき、ユーザＤＢ５４に保持されているユーザのレコードを特定し、販売電力量（ユーザから見た購入電力量）を電力推移に書き込み、総電力量から販売電力量を減算し、口座残高に対価を反映させる。
・Ｓ３４でサーバ５のＣＰＵ３１（入出金部５６）は、対価情報（課金情報）を充電スポット３に送信する。対価情報には、ユーザＤＢ５４に登録されているユーザの最新レコードが含まれていてもよい。
【００２８】
●充電スポットデータベース
図１２は充電スポットＤＢ５５の一例を示している。充電スポットＤＢ５５には充電スポットごとにレコードが設けられている。充電スポットＩＤは充電スポット３ごとの固有の識別情報である。最終更新日は、レコードが最後に更新された日を示している。電力量推移は、最終更新日に登録された売却電力量または購入電力量を示している。ここで電力量に付与されたプラス記号は、電力供給装置１から充電スポット３に電力が供給されたことを意味する。電力量に付与されたマイナス記号は、充電スポット３から電力供給装置１に電力が供給されたことを意味する。総電力量は充電スポット３ごとの買い取り電力量と販売電力量との合計値である。販売単価は、充電スポット３が電力供給装置１に電力を販売するときの単価である。買い取り単価は、充電スポット３が電力供給装置１から電力を買い取るときの単価である。
【００２９】
＜まとめ＞
第１態様によれば、充電スポット３は、それぞれ負荷に対して電力を供給する可搬型の第一電力供給装置および第二電力供給装置と接続可能な充電スポットの一例である。電力供給装置１ａ、１ｂは第一電力供給装置および第二電力供給装置の一例である。充電スポット３の認識部４１、通信回路１６または操作部１７は、第一電力供給装置の識別情報を取得する取得手段の一例である。充電スポット３のＡＣインレット端子２７は第一電力供給装置と接続し、第一電力供給装置の蓄電池に蓄電されている電力を受給する第一接続手段の一例である。充電スポット３の蓄電池１２は第一接続手段を通じて受給した電力を蓄電する蓄電手段の一例である。買い取り制御部４３や買い取り量測定部４４は第一電力供給装置を通じて受給した電力の量に応じた対価を第一電力供給装置の識別情報に対して付与する付与手段の一例である。第一態様によれば、可搬型の電力供給装置に蓄電された電力を対価に代えることが可能となる。
【００３０】
第２態様によれば、計測回路２８ｂや買い取り量測定部４４は第一電力供給装置を通じて受給した電力の量である電力受給量（買い取り電力量）を測定する第一測定手段の一例である。充電スポット３の通信回路１６はサーバ５と通信する通信手段の一例である。付与手段は、第一測定手段により測定された電力受給量と第一電力供給装置の識別情報とを通信手段によりサーバに送信する。これにより、付与手段は、サーバ５に、第一電力供給装置の識別情報に関連付けられている口座に電力受給量に応じた対価を加算させる。
【００３１】
第３態様によれば、付与手段は、充電スポット３の地理的な位置を示す位置情報または充電スポット３に関連付けられている課金係数（買い取り単価）を、電力受給量と第一電力供給装置の識別情報とともにサーバ５に送信してもよい。
【００３２】
第４態様によれば、充電スポット３の操作部１７は、通信手段によりサーバ５から受信された対価の情報を出力する出力手段の一例である。これによりユーザは対価を容易に知ることができる。
【００３３】
第５態様によれば、充電スポット３のＡＣアウトレット端子２６は、第二電力供給装置と接続する第二接続手段の一例である。インバータ回路２２などは、蓄電手段に蓄電されている電力を第二電力供給装置の蓄電池に供給する供給手段の一例である。このようにあるユーザが保持していた電力が充電スポット３を経由して他のユーザに提供されることが促進されよう。
【００３４】
第６態様によれば、充電スポット３の計測回路２８ａや販売量測定部４６は第二電力供給装置に供給した電力の量である電力供給量（販売電力量）を測定する第二測定手段の一例である。販売制御部４５や販売量測定部４６は取得手段により取得された第二電力供給装置の識別情報と電力供給量とを、通信手段によりサーバ５に送信することで、電力供給量に応じた対価を課金する課金手段の一例である。
【００３５】
第７態様によれば、課金手段は、充電スポットの地理的な位置を示す位置情報または充電スポットに関連付けられている課金係数（販売単価）を、電力供給量と第二電力供給装置の識別情報とともにサーバ５に送信する。
【００３６】
第８態様によれば、第一電力供給装置の識別情報は第一電力供給装置の製造シリアル番号または第一電力供給装置のユーザの識別情報であってもよい。
【００３７】
第９態様によれば、取得手段は、第一電力供給装置と通信することで第一電力供給装置の識別情報を取得してもよい。
【００３８】
第１０態様によれば、それぞれ負荷に対して電力を供給する可搬型の第一電力供給装置および第二電力供給装置と接続可能な充電スポットを管理するサーバ５が提供される。サーバ５の通信回路１６は充電スポット３と通信する通信手段の一例である。口座管理部５１は、第一電力供給装置から充電スポットが受給した電力の量である受給電力量と第一電力供給装置の識別情報とを通信手段により受信し、第一電力供給装置の識別情報に関連付けられている口座に対して、受給電力量に応じた対価を付与する口座管理手段の一例である。
【００３９】
第１１態様によれば、口座管理手段は、充電スポット３に関連付けられている課金係数（例：買電単価）を受給電力量に適用することで、対価を決定してもよい。
【図１】
2019144760.tif 000003
【図２】
2019144760.tif 000004
【図３】
2019144760.tif 000005
【図４】
2019144760.tif 000006
【図５】
2019144760.tif 000007
【図６】
2019144760.tif 000008
【図７】
2019144760.tif 000009
【図８】
2019144760.tif 000010
【図９】
2019144760.tif 000011
【図１０】
2019144760.tif 000012
【図１１】
2019144760.tif 000013
【図１２】
2019144760.tif 000014